(57)【要約】【課題】【課題】  音量もしくは音質の自動調節制御を行い、広告用のコンテンツの再生を設置場所の環境に応じて効果的に行う広告装置を提供する。【解決手段】  広告装置（１）は、記憶媒体（１２１）、記憶部（１２）に記憶された広告用の音声、映像を出力する音声出力部（３０）、画像表示部（２０）を具備し、特に、制御部（１１）は、音声出力部（３０）における音声の音量、音質を、記憶部（１２）に記憶された制御パラメータによって、曜日、時間帯毎に設定された音量、音質に調節する制御信号を生成して音声出力制御部（１７）に出力する。また、制御部（１１）は、広告装置（１）設置場所付近の人の存在をセンサ部（５０）にて監視し、センサ検出時の制御パラメータに応じて、音声の音量、音質を一時的に自動調節する。【選択図】  図２
2006053432.tif 000002
【特許請求の範囲】
【請求項１】
商品若しくはサービスに係わる広告を行う広告装置において、
前記商品若しくはサービスに係わる音声を発生する音声発生手段と、
前記音声発生手段で発生される音声の音量もしくは音質の少なくとも一方を環境状態に応じて自動調節する音量音質調節手段と
を具備することを特徴とする広告装置。
【請求項２】
前記音量音質調節手段は、
時間帯若しくは日付けに応じて前記音声発生手段で発生される音声の音量もしくは音質の少なくとも一方を自動調節する
ことを特徴とする請求項１記載の広告装置。
【請求項３】
周囲音を検出する周囲音検出手段
を更に具備し、
前記音量音質調節手段は、
前記周囲音検出手段で検出された周囲音の音量レベルに対応して前記音声発生手段で発生される音声の音量もしくは音質の少なくとも一方を自動調節する
ことを特徴とする請求項１記載の広告装置。
【請求項４】
周囲の人の存在を検出する周囲検出手段
を更に具備し、
前記音量音質調節手段は、
前記周囲検出手段で検出された周囲の人の存在に対応して前記音声発生手段で発生される音声の音量もしくは音質の少なくとも一方を自動調節する
ことを特徴とする請求項１記載の広告装置。
【請求項５】
前記商品若しくはサービスに対して音声案内を行う音声案内手段
を更に具備し、
前記音量音質調節手段は、
前記音声案内手段の動作状態に対応して前記音声発生手段で発生される音声の音量もしくは音質の少なくとも一方を自動調節する
ことを特徴とする請求項１記載の広告装置。
【請求項６】
前記音量音質調節手段は、
ユーザ操作に対応して前記音声発生手段で発生される音声の音量もしくは音質の少なくとも一方を調節する手段
を更に具備することを特徴とする請求項１記載の広告装置。
【請求項７】
前記音量音質調節手段は、
前記音声発生手段で発生される音声の特定の周波数帯の音量を選択的に自動調節する
ことを特徴とする請求項１乃至６のいずれかに記載の広告装置。
【請求項８】
前記音量音質調節手段は、
前記音声発生手段で発生される音声の音量もしくは音質の少なくとも一方を環境状態に応じて自動変更する自動音量変更手段と
前記音量変更手段で変更した前記音声発生手段で発生される音声の音量もしくは音質の少なくとも一方を初期状態に自動復帰させる音量自動復帰制御手段と
を具備することを特徴とする請求項３乃至７のいずれかに記載の広告装置。
【請求項９】
前記音量自動復帰制御手段は、
前記自動音量変更手段により前記音声発生手段で発生される音声の音量を変更してから所定の時間を経過したことを条件に前記音量変更手段で変更した前記音声発生手段で発生される音声の音量もしくは音質の少なくとも一方を初期状態に自動復帰させる
ことを特徴とする請求項８記載の広告装置。
【請求項１０】
前記音量音質調節手段は、
外部からの遠隔指示により前記音声発生手段で発生される音声の音量もしくは音質の少なくとも一方を自動調節する
ことを特徴とする請求項１乃至９のいずれかに記載の広告装置。
【請求項１１】
前記商品若しくはサービスに係わる画像を表示する画像表示手段
を更に具備し、
前記音声発生手段は、
前記画像表示手段で表示される画像に関連する音声を発生する
ことを特徴とする請求項１記載の広告装置。
【請求項１２】
前記音量音質調節手段は、
前記音声発生手段で発生される音声の音量もしくは音質の少なくとも一方を環境状態に応じて自動変更する自動音量変更手段と
前記音量変更手段で変更した前記音声発生手段で発生される音声の音量もしくは音質の少なくとも一方を初期状態に自動復帰させる音量自動復帰制御手段と
を具備し、
前記音量自動復帰制御手段は、
前記画像表示手段で表示される画像の１サイクルが終了したことを条件に前記音量変更手段で変更した前記音声発生手段で発生される音声の音量もしくは音質の少なくとも一方を初期状態に自動復帰させる
ことを特徴とする請求項１１記載の広告装置。
【請求項１３】
前記商品もしくはサービスの販売促進に係わる情報を含む発行物を頒布する発行物頒布手段をさらに具備し、
前記音声は、前記発行物頒布手段による前記発行物の頒布を促す音声案内を含む
ことを特徴とする請求項１記載の広告装置。
【請求項１４】
商品もしくはサービスの販売を自動で行う自動販売手段
をさらに具備することを特徴とする請求項１記載の広告装置。
【請求項１５】
外部装置との間でデータ送受信を行うデータ通信手段
をさらに具備し、
前記画像表示手段で表示される画像もしくは前記音声発生手段で発生される音声の少なくとも一方は、前記外部装置から配信される
ことを特徴とする請求項１記載の広告装置。
【発明の詳細な説明】
【技術分野】
【０００１】
本発明は、広告装置に関し、特に、出力音声の音量あるいは音質の少なくとも一方を広告装置の設置付近における環境の変化、若しくは、時間帯、日付に応じて自動調節する技術に関する。
【背景技術】
【０００２】
従来の、広告装置に関する技術として、特許文献１記載の「自動販売機」がある。
【０００３】
特許文献１記載の自動販売機は、広告装置付の自動販売機であって、広告情報を記憶する記憶手段と、音声出力装置、グラフィックディスプレイ装置等広告情報を出力する出力手段と、出力手段により出力された広告情報の中から任意のメニューを選択入力する入力手段と、タッチパネル等の入力手段による選択入力があったとき、その選択されたメニューに対応する動画の画像情報を含む広告情報を、記憶手段から読み出し、もしくは、通信回線を介してセンタから広告情報を受信し、出力手段に出力させる制御部とを具備する。
【０００４】
また、制御部は、入力手段により選択されたメニューの選択実績を記憶する選択実績記憶手段と、入力手段による入力がないとき、選択実績記憶手段の記憶するデータに基づいて、現在の時刻に相当する時間帯に対する、最多選択回数のメニューから所定順位のメニューまでの広告情報を記憶手段から読み出して出力手段に出力させる。
【０００５】
また、選択実績記憶手段に記憶されたメニューの選択実績を、通信回線を介してセンタに送信する。
【０００６】
また、広告装置に関する別の技術として、特許文献２記載の「広告方法および広告装置」がある。
【０００７】
この特許文献２に記載の広告装置は、人を検出する検出器と、音、画像、光の少なくとも１つを出力する出力器と、検出器の出力に応じて、出力器の出力を変化させる制御器とを有し、広告装置への人の接近を検出したとき、音、画像、光の少なくとも１つの出力を変化させる。
【０００８】
また、検出器により広告装置への人の接近が検出されたとき、出力器の出力を変化させる。
【０００９】
また、検出器からの無人情報が継続する所定の時間がタイマにより計測されたとき、制御器により出力器の出力を少なくするか、出力を停止する。
【特許文献１】特開平９−９１５０６号公報。
【特許文献２】特開２００２−８２６４２号公報。
【発明の開示】
【発明が解決しようとする課題】
【００１０】
自動販売機に広告機能を搭載した特許文献１により開示された装置においては、消費者が自動販売機に表示されるメニュー画面を操作することにより、広告画像を表示し、音声を出力する構成となり、不特定多数の消費者に対して有効な広告を打つことが困難であるといった問題がある。
【００１１】
また、特許文献２にて開示された広告装置および広告方法においては、人の接近を追加することで、出力器の出力を変化させる構成を具備しているが、コンテンツの再生時間帯、日付等によって個別に設定された音量、音質レベルや、人の混雑度、装置設置場所の周囲の騒音レベル等の不規則に変化する環境の変化に対応したきめ細かな音声制御ができないといった問題がある。
【００１２】
そこで、この発明は、装置の設置場所付近における人の存在や騒音レベルの変化、あるいは、時間帯、日付別に設定された制御パラメータに応じて、出力音声もしくは音質の少なくとも一方を自動で調整することができる広告装置を提供することを目的とする。
【課題を解決するための手段】
【００１３】
上記目的を達成するために、請求項１の発明は、商品若しくはサービスに係わる広告を行う広告装置であり、商品若しくはサービスに係わる音声を発生する音声発生手段と、音声発生手段で発生される音声の音量もしくは音質の少なくとも一方を環境状態に応じて自動調節する音量音質調節手段とを具備することを特徴とする。
【００１４】
また、請求項２の発明は、請求項１の発明において、音量音質調節手段は、時間帯若しくは日付けに応じて音声発生手段で発生される音声の音量もしくは音質の少なくとも一方を自動調節することを特徴とする。
【００１５】
また、請求項３の発明は、請求項１の発明において、周囲音を検出する周囲音検出手段を更に具備し、音量音質調節手段は、周囲音検出手段で検出された周囲音の音量レベルに対応して音声発生手段で発生される音声の音量もしくは音質の少なくとも一方を自動調節することを特徴とする。
【００１６】
また、請求項４の発明は、請求項１の発明において、周囲の人の存在を検出する周囲検出手段を更に具備し、音量音質調節手段は、周囲検出手段で検出された周囲の人の存在に対応して音声発生手段で発生される音声の音量もしくは音質の少なくとも一方を自動調節することを特徴とする。
【００１７】
また、請求項５の発明は、請求項１の発明において、商品若しくはサービスに対して音声案内を行う音声案内手段を更に具備し、音量音質調節手段は、音声案内手段の動作状態に対応して音声発生手段で発生される音声の音量もしくは音質の少なくとも一方を自動調節することを特徴とする。
【００１８】
また、請求項６の発明は、請求項１記載の発明において、音量音質調節手段は、ユーザ操作に対応して音声発生手段で発生される音声の音量もしくは音質の少なくとも一方を調節する手段を更に具備する。
【００１９】
また、請求項７の発明は、請求項１および至５のいずれかの発明において、音量音質調節手段は、音声発生手段で発生される音声の特定の周波数帯の音量を選択的に自動調節することを特徴とする。
【００２０】
また、請求項８の発明は、請求項３及至７のいずれかに記載の発明において、音量音質調節手段は、音声発生手段で発生される音声の音量もしくは音質の少なくとも一方を環境状態に応じて自動変更する自動音量変更手段と音量変更手段で変更した音声発生手段で発生される音声の音量もしくは音質の少なくとも一方を初期状態に自動復帰させる音量自動復帰制御手段とを具備することを特徴とする。
【００２１】
また、請求項９の発明は、請求項８の発明において、音量自動復帰制御手段は、自動音量変更手段により音声発生手段で発生される音声の音量を変更してから所定の時間を経過したことを条件に音量変更手段で変更した音声発生手段で発生される音声の音量もしくは音質の少なくとも一方を初期状態に自動復帰させることを特徴とする。
【００２２】
また、請求項１０の発明は、請求項１および至９のいずれかに記載の発明において、音量音質調節手段は、外部からの遠隔指示により音声発生手段で発生される音声の音量もしくは音質の少なくとも一方を自動調節することを特徴とする。
【００２３】
また、請求項１１の発明は、請求項１の発明において、商品若しくはサービスに係わる画像を表示する画像表示手段を更に具備し、音声発生手段は、画像表示手段で表示される画像に関連する音声を発生することを特徴とする。
【００２４】
また、請求項１２の発明は、請求項１１の発明において、音量音質調節手段は、音声発生手段で発生される音声の音量もしくは音質の少なくとも一方を環境状態に応じて自動変更する自動音量変更手段と音量変更手段で変更した音声発生手段で発生される音声の音量もしくは音質の少なくとも一方を初期状態に自動復帰させる音量自動復帰制御手段とを具備し、音量自動復帰制御手段は、画像表示手段で表示される画像の１サイクルが終了したことを条件に音量変更手段で変更した音声発生手段で発生される音声の音量もしくは音質の少なくとも一方を初期状態に自動復帰させることを特徴とする。
【００２５】
また、請求項１３の発明は、請求項１の発明において、商品もしくはサービスの販売促進に係わる情報を含む発行物を頒布する発行物頒布手段をさらに具備し、音声は、発行物頒布手段による発行物の頒布を促す音声案内を含むことを特徴とする。
【００２６】
また、請求項１４の発明は、請求項１の発明において、商品もしくはサービスの販売を自動で行う自動販売手段をさらに具備することを特徴とする。
また、請求項１５の発明は、請求項１の発明において、外部装置との間でデータ送受信を行うデータ通信手段をさらに具備し、画像表示手段で表示される画像もしくは音声発生手段で発生される音声の少なくとも一方は、外部装置から配信されることを特徴とする。
【発明の効果】
【００２７】
本発明の広告装置によれば、広告のための静止画、動画、音声（コンテンツ）の再生を行う際、装置の設置場所付近における人の存在や騒音レベルの変化、あるいは、時間帯、日付別に設定された制御パラメータに応じて、音声における音量もしくは音質の少なくとも一方を自動で調整することができる。
【００２８】
よって、訴求効果の高い広告機能と設置場所における騒音対策機能を兼ね備えた広告装置を提供することができる。
【発明を実施するための最良の形態】
【００２９】
以下、本発明に係わる広告装置の実施の形態について添付図面を参照して詳細に説明する。
【実施例１】
【００３０】
本発明の第１の実施の形態として、コンテンツを出力する広告装置について説明する。
【００３１】
図１は、本発明に係わる広告装置の第１の実施の形態を示した広告装置の外観図である。
【００３２】
図１において、広告装置１は、駅構内、店舗、施設等に設置され、広告装置１の記憶手段もしくは、記憶媒体に記憶されたコンテンツを再生する装置である。
【００３３】
また、広告装置１は、コンテンツを再生する際に、時間帯毎に予め設定された制御パラメータによって決定される再生コンテンツの種類、再生順、再生間隔に基づいて再生制御を行い、音声に関しては、音質、音量を時間帯に設定された音量レベルあるいは、音質レベルにて自動調節する機能を有する。
【００３４】
また、広告装置１は、広告装置１が面する監視領域において人の進入、退去を検知する人センサ５２、ＤＳＣ（Ｄｉｇｉｔａｌ  Ｓｔｉｌｌ  Ｃａｍｅｒａ）、ＤＶＣ（Ｄｉｇｉｔａｌ  Ｖｉｄｅｏ  Ｃａｍｅｒａ）等の監視カメラ５１等をさらに具備し、監視領域における人の存在に反応して音声出力部３０から出力される音声の音量もくは音質の自動調整を行う。
【００３５】
また、広告装置１は、広告装置１の設置場所周辺における騒音レベルを定期的に検出し、検出した騒音レベルに応じて音声の音量もしくは音質を自動で調節する。
【００３６】
図２は、図１に示した広告装置１の制御構成を示したブロック図である。
【００３７】
図２において、広告装置１は、広告装置１全体を統括して制御する制御部１１に対して、記憶部１２、センサ接続インタフェース１４、コンテンツ再生部１５、画像出力制御部１６、音声出力制御部１７、記憶媒体読み取り部１８、操作検出部１９をそれぞれ接続した構成にて制御される。
【００３８】
記憶部１２は、ロードされたプログラム、一次的な処理データを記憶する揮発性のメモリデバイス、広告装置１の制御プログラム、制御パラメータ等、書換え可能な不揮発性のメモリデバイス、再生するコンテンツのデータ等を記憶するハードディスク等により構成されるデータ記憶手段である。
【００３９】
センサ接続インタフェース１４は、広告装置１の設置場所付近における人の存在を検出するための監視カメラ５１、人センサ５２、及び、装置設置場所付近の騒音レベルを検出する周囲音センサ５３等の外部器機を接続するインタフェースであり、各接続器機が検出したデータ、信号を受信して制御部１１に出力する。
【００４０】
ここで、例えば、監視カメラ５１により監視領域に対する人の進入、退去を検出する方法として、監視カメラ５１が撮影した各フレーム画像を所定の数のブロック領域に分割し、分割した領域毎の画像解析を行って人の進入、退去を監視する。
【００４１】
コンテンツ再生部１５は、画像再生部１５１、音声再生部１５２を有する。
【００４２】
音声再生部１５２は、ＭＰ３形式等の圧縮されたデジタル音声データをデコードして音声の再生処理を行う。
【００４３】
画像再生部１５１は、ＭＰＥＧ形式等で圧縮された動画データ、ＪＰＥＧ形式で記録された静止画データをデコードして、デジタル画像の再生処理を行う。
【００４４】
画像出力制御部１６は、画像再生部１５１によってデコードされたデジタル画像データを、画像出力部２０に対する出力信号形式に変換して画像出力部２０に出力する。
【００４５】
音声出力制御部１７は、音量調節部１７１、音質調節部１７２を具備し、音声再生部１５２によって順次デコートされたデジタル音声信号をアナログ音声信号に変換し、音質調節部１７２により所定の周波数帯域に対してフィルタリング処理等を行って音質の調節を行い、音量調節部１７１にて音声信号の増幅処理を行って音声出力部３０に出力する。
【００４６】
また、音量調節部１７１は、音量調節部１７１に接続される音量コントローラ（図示せず）を操作することによる手動での音量調節制御を行い、制御部１１からの制御信号により自動での音量調節制御を行う。
【００４７】
また、音質調節部１１６においても、音質調節部１７２に接続される音質コントローラ（図示せず）を操作することによる手動での音質調節制御、制御部１１からの制御信号によって音質調節制御を自動で行う。
【００４８】
また、音量調節部１７１は、音声出力部３０において、図２に示したように、スピーカ(Ｌ)３１、スピーカ(Ｒ)３２、および、低音域の音声を再生するウーハー３３等、複数のスピーカを備える場合、音量調節部１７１は、制御部１１からの制御信号によって音量レベルを個別に調節する制御を行う。
【００４９】
記憶媒体読み取り部１８は、ＣＤ―ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）等の記憶媒体の種別を判別し、媒体に記録されているコンテンツの読み出しを行う。
【００５０】
操作検出部１９は、音量調節ボタン１９１の操作を検出して、検出信号を制御部１１に出力する。
【００５１】
次に、記憶部１２に記憶される音量音質自動調節制御に関する制御パラメータの設定例について説明する。
【００５２】
図３は、広告装置における音量音質自動調節制御に関する制御パラメータの例として、時間帯の分割および曜日毎の分割パターンを示した表である。
【００５３】
図３（Ａ）は、一日を４つの時間帯に分割するとともに、「平日１」、「平日２」、「休日」といった３つの分割のパターンを設けた時の例を示した表である。
【００５４】
図３（Ｂ）は、図３（Ａ）で設定した３つの分割パターンを各曜日に割り当てた例を示した表である。
【００５５】
図３（Ｃ）は、図３（Ａ）にて設定した分割パターン毎の各時間帯において、各時間帯における音質レベル、音量レベルを個別に設定した例を示した表である。
【００５６】
各ブロックに設定される音量レベルは、例えば、図３（Ｄ）に示すように、設定した音量レベルの高い順に「音量設定Ａ」、「音量設定Ｂ」、「音量設定Ｃ」の３段階のレベルを設け、例えば、図３（Ｃ）において、「平日１」の「時間帯Ｂ」においては、「音量設定ルＣ」を設定し、比較的人の混雑が予想される「平日１」の「時間帯Ｃ」、「休日」の「時間帯Ｂ」においては「音量設定Ａ」を設定する。
【００５７】
また、図３（Ｅ）は、音質の設定に関する表であり、再生する音質の特徴を示すパターンを、音声信号を構成する周波数帯域を「低音域」、「中音域」、「高音域」の３つに分けて、各帯域の調整量を１０段階のレベルで表現した表である。
【００５８】
これにより、図３（Ｅ）の表において、例えば、「音質設定Ｄ」の場合は、「低音域」、「高音域」が強調される設定となるので、迫力ある広告映像の再生時に適用される設定である。
【００５９】
なお、図３に示した各表の設定以外に、時間帯、曜日、日付等によって音量、音質の出力レベルを個別に設定できる構成であれは、これらの表に示した、時間帯の分割数、音量レベル、音質レベルの帯域数等に限定されない。
【００６０】
また、図３（Ｂ）は、時間帯の分割パターンを曜日毎に割り当てる方法を示したが、これ以外に、カレンダを使用して、日付別に分割パターンを割り当てる方法にしても良い。  次に、コンテンツの再生に関する制御パラメータについて説明する。
【００６１】
図４は、広告装置におけるコンテンツの再生に関する各種制御パラメータの例を示した表である。
【００６２】
図４（Ａ）は、コンテンツを繰り返して再生する場合のインターバル時間と再生の１サイクルとして再生するコンテンツの再生順と再生コンテンツの識別子を設定した例を示す表であり、再生モード１、再生モード２、再生モード３といった順で再生間隔が短くなる３段階の再生モードを設定した例である。
【００６３】
図４（Ｂ）は、図３（Ｃ）に示した各時間帯のうちコンテンツの再生を行う時間帯毎に、図４（Ａ）で設定したコンテンツの再生モードを設定した例を示した表である。
【００６４】
図４（Ｂ）において、例えば、設置場所付近において比較的人が閑散となる「平日１」の「時間帯Ｂ」、「休日」の「時間帯Ｃ」においては、再生間隔を長めに設定する「再生モード１」を設定し、設置場所付近において比較的人が混雑する「平日２」の「時間帯Ｃ」、「休日」の「時間帯Ｂ」においては、再生回数を稼ぐために再生間隔の短い再生モードを設定する。
【００６５】
次に、図１に示した監視カメラ５１、人センサ５２、周囲音センサ５３等のセンサ検出に伴う自動音量調節制御に関連する制御パラメータについて説明する。
【００６６】
図５は、広告装置における音声出力制御に関する各種センサに関する制御パラメータの例を示した表である。
【００６７】
図５（Ａ）は、図３（Ａ）にて設定した各時間帯において、各種センサの検出に基づく音量音質自動調節制御を有効にする時間帯を設定して管理した場合の表である。
【００６８】
図５（Ａ）は、広告装置１が設定される店舗の営業時間帯に相当する「時間帯Ｂ」、「時間帯Ｃ」の時間帯は各センサの検出を「有効」に設定し、それ以外の時間帯においては、監視カメラのみ有効に設定した時の例である。
【００６９】
なお、広告装置１外部に設置されたボタンの無駄な検出を防止するために、図５に示したセンサ以外に、音量調節ボタン１９１等の有効・無効設定を追加して管理する構成にしても良い。
【００７０】
図５（Ｂ）は、人センサ５２、監視カメラ５１によって、監視領域における人を検知したときに一時的に自動調節を行う音量、音質レベルの設定を行った例を示す表である。
【００７１】
図５（Ｃ）は、周囲音センサ５３が定期的に広告装置１の設置場所付近の騒音レベルを検出した時に、例えば、検出した騒音レベルが、所定の基準値Ａ、基準値Ｂ（基準値Ａ＜基準値Ｂ）に対してどのレベルにあるかを判断し、音量、音質の調節レベルを判断した音量レベルにて設定した例を示す表である。
【００７２】
検出した騒音レベルが基準値Ａよりも低いといった騒音レベルの影響が低い状態にある場合、音量レベルを低く設定し、音質に関しては、例えば、低音域、高音域を抑えた設定にする。
【００７３】
一方、騒音レベルが基準値Ｂを超えた場合は、例えば、再生する音声が周囲の騒音に埋もれることが無いように、音量レベルを高くする等の音質設定を行う。
【００７４】
次に、図１に示した監視カメラ５１、人センサ５２、周囲音センサ５３の各センサおよび、音量調節ボタン１９１の操作により、音量レベルの調節を行った後に、音量レベルをもとの設定レベルに自動で戻すための制御パラメータの設定例について説明する。
【００７５】
図６は、音量もしくは音質を時間帯別に設定された値以外のレベルに一時的に変更する調節制御を実施した後に、初期レベル（制御パラメータとして、時間帯毎に設定された音量、音質のレベル）の音量もしくは音質に戻すタイミングを各種センサおよび音量調節ボタンに対して個別に設定した時の例を示す表である。
【００７６】
図６の表は、音量音質自動調節制御が、監視カメラ５１、人センサ５２、周囲音センサ５３、音量調節ボタン１９１の何れのイベントにて処理されたかを示す「検出トリガ」と、各「検出トリガ」に設定された自動復帰制御の設定が現在、有効あるいは無効であるかを設定する「自動復帰設定」と、自動復帰制御の開始時期を示す「復帰制御開始時期」で構成される。
【００７７】
例えば、監視カメラ５１において監視領域からの人の退去を検知した場合、初期レベルの音量、もしくは、音質レベルに戻す調節制御を行う。
【００７８】
監視カメラ５１以外の、人センサ５２、周囲音センサ５３、音量調整ボタン１９１の操作をトリガとする音量調節制御に関しては、例えば、コンテンツ再生処理の１サイクルが完了した時点で、音量レベル、音質パターンを初期レベルに戻す自動復帰制御を行う設定であることを示している。
【００７９】
また、周囲音センサ５３をトリガとする音量音質自動調節制御に関しては、仮に、再生サイクルの監視による自動復帰制御は行わなず、騒音レベルの基準値に基づいて判断して制御することを示している。
【００８０】
次に、広告装置１におけるコンテンツ再生制御、音量音質自動調節制御について説明する。
【００８１】
図７は、コンテンツ再生制御の処理手順を示したフローチャートである。
【００８２】
制御部１１は、記憶部１２に記憶した制御パラメータに基づいて、コンテンツの再生が可能な時間帯への切り替わり時期をタイマにて監視する（ステップＳ１０１でＮＯ）。
【００８３】
タイマからの割り込みを検知すると（ステップＳ１０１でＹＥＳ）、制御部１１は、記憶部１２の制御パラメータに設定された現在時刻が属する時間帯の再生モードを取得し（ステップＳ１０２）、再生するコンテンツデータの取得先（記憶媒体１２１、記憶部１２）を特定する（ステップＳ１０３）。
【００８４】
制御部１１は、ステップＳ１０３で特定したコンテンツデータの取得先からコンテンツデータを読み出して、再生モードに設定されたコンテンツの再生順序にて、画像データ、音声データの再生を開始するようコンテンツ再生部１５に指示する（ステップＳ１０４）。
【００８５】
コンテンツ再生部１５による１回の再生サイクルが完了すると（ステップＳ１０５でＹＥＳ）、再生モードに設定された再生間隔の時間経過を監視し（ステップＳ１０６でＮＯ）、次のコンテンツ開始時期に到達した場合に（ステップＳ１０６でＹＥＳ）、引き続いてコンテンツの再生が可能であるかを現在時刻にて判断する（ステップＳ１０７）。
【００８６】
現在時刻がコンテンツの再生時間帯から外れた場合（ステップＳ１０７でＹＥＳ）、制御部１１はコンテンツ再生処理を終了する。
【００８７】
広告コンテンツの再生処理を引き続き行う場合（ステップＳ１０７でＮＯ）、制御部１１は、ステップＳ１０２に戻り、再生モードに設定された再生間隔にて次の再生開始時期を監視する。
【００８８】
図８は、図７に示したコンテンツ再生処理における音声の音量音質自動調節制御に関する処理手順を示すフローチャートである。
【００８９】
音声の音量音質自動調節制御は、制御パラメータに設定された時間帯の切り替わり時期をトリガとする調節制御、監視カメラ５１、ヒトセンサ５２による設置場所付近の人の検出をトリガとする調節制御、周囲音センサ５３によって検出される周囲音レベルの変化をトリガとする調節制御、音量調節ボタン５０の操作をトリガとする調節制御、一次的な調節制御に伴う自動復帰制御のタイマ割り込みイベントをトリガとする調節制御がある。
【００９０】
図８において、制御部１１は、音量音質自動調節制御の開始トリガとなる各種イベントの発生をそれぞれ監視し（ステップＳ２０１でＮＯ）、イベントの発生を検知すると（ステップＳ２０１でＹＥＳ）、制御部１１は、発生したイベント種別を解析する。
【００９１】
制御パラメータ設定時間帯の切り替わりを検出したタイマからの割り込みイベントである場合（ステップＳ２０２でＹＥＳ）、制御部１１は、現在時刻が属する時間帯に設定された制御パラメータによって決定される音量レベル、音質パターンに調節すべく音量音質自動調節制御を行う（ステップＳ２０３）。
【００９２】
人センサ５２、あるいは、監視カメラ５１による監視領域への人の進入もしくは退去を検出したイベントである場合（ステップＳ２０４ＹＥＳ）、制御部１１は、人検出時の制御パラメータによる音量の自動調節制御行う（ステップＳ２０５）。
【００９３】
周囲音センサ５３による設置装置付近における音量レベルの検出イベントである場合（ステップＳ２０６でＹＥＳ）、制御部１１は、検出した周囲音の音量レベルに応じた音量音質自動調節制御を行う（ステップＳ２０７）。
【００９４】
ボタン操作の検出イベントである場合（ステップＳ２０８でＹＥＳ）、制御部１１は、ボタン操作に基づく音量音質自動調節制御を行う（ステップＳ２０９）。
【００９５】
図８のステップＳ２０７、ステップＳ２０９に示した音量音質自動調節制御によって、音量レベルおよび音質レベルを一次的に変更した場合で、かつ、初期レベルに戻す自動復帰制御を行う設定がある場合（ステップＳ２１３でＹＥＳ）、制御部１１は、制御パラメータから初期レベルへの復帰制御の開始時期を、音量音質自動調節制御のトリガ種別から特定し、特定した開始時間を監視するタイマをセットし、自動復帰制御の監視フラグを有効に設定する（ステップＳ２１４）。
【００９６】
自動復帰制御の開始時期を検出したタイマからの割り込みイベントである場合（ステップＳ２１０でＹＥＳ）、制御部１１は、自動復帰制御の監視フラグの種別に基づいて復帰後の音量レベル、音質パターンに調節する自動復帰制御を行う（ステップＳ２１１）。
【００９７】
コンテンツ再生時間帯である間（ステップＳ２１２でＮＯ）、制御部１１は、ステップＳ２０１に戻り、音量音質自動調節制御の開始トリガとなるイベントの発生を監視し、コンテンツの再生時間帯が終了した場合（ステップＳ２１２でＹＥＳ）、制御部１１は処理を終了する。
【００９８】
次に、図８に示したステップＳ２０３、ステップＳ２０５、ステップＳ２０７、ステップＳ２０９の各処理についてさらに説明する。
【００９９】
図９は、図８のステップＳ２０３に示した時間帯による音量音質自動調節制御の処理手順を示すフローチャートである。
【０１００】
制御部１１は、現在時刻が属する時間帯に設定された音質パターンを記憶部１２の制御パラメータから取得し（ステップＳ３０１）、取得した音質設定パターンにて音声出力制御部１７を制御するための制御信号を生成し（ステップＳ３０２）、生成した制御信号を音声出力制御部１７に出力する（ステップＳ３０３）。
【０１０１】
制御部１１は、現在時刻が属する時間帯に設定された音量設定制御レベルを音量レベルを記憶部１２から取得し（ステップＳ３０４）、取得した音量レベルにて音声出力制御部１７を制御するための制御信号を生成し（ステップＳ３０５）、生成した制御信号を音声出力制御部１７に出力する（ステップＳ３０６）。
【０１０２】
図１０は、図８のステップＳ２０５に示した人の検出による音量音質自動調節制御の処理手順を示すフローチャートである。
【０１０３】
人センサのイベントの内容が「人進入の検知」である場合（ステップＳ４０１でＹＥＳ）、制御パラメータに設定された音量レベル、音質パターンによる音量音質自動調節制御を行う（ステップＳ４０２）。
【０１０４】
制御部１１は、人を検出したセンサに対する自動復帰制御の開始時期が、自動復帰設定の開始時期が「人の退去時」である場合（ステップＳ４０３でＹＥＳ）、制御部１１は、自動復帰制御を人退去時に行うフラグを有効にする（ステップＳ４０４）。
【０１０５】
一方、自動復帰制御の開始時期が、人退去時以外のタイミングにて設定されている場合（ステップＳ４０３でＮＯ）、制御部１１は、音量音質自動調節制御実施後における自動復帰制御の開始時期を制御パラメータから特定して、監視タイマをセットする（ステップＳ４０５）。
【０１０６】
一方、センサの検出内容が「人の退去」である場合（ステップＳ４０６でＹＥＳ）、制御部１１は、人退去時の自動復帰制御の設定フラグの有効、無効を判断する（ステップＳ４０７）。
【０１０７】
人の退去検出時に自動復帰制御を行うフラグが有効である場合（ステップＳ４０７でＹＥＳ）、制御部１１は、音声出力部３０にて出力される音声の音量レベル、音質パターンを現在の時間帯に設定された初期レベルに戻すための制御信号を生成して音声出力制御部１７に出力する（ステップＳ４０８）。
【０１０８】
図１１は、装置設置場所付近における音量レベルに応じた音量音質自動調節制御の処理手順を示すフローチャートである。
【０１０９】
制御部１１は、周囲音センサ５３にて検出される信号を解析して騒音レベルを検出し（ステップＳ５０１）、検出した騒音レベルと、音質の自動調節制御の要否を制御パラメータに設定された基準レベルに基づいて判断する（ステップＳ５０２）。
【０１１０】
音量音質自動調節制御が必要であると判断した場合（ステップＳ５０２でＹＥＳ）、制御部１１は、検出した騒音レベルから特定される音質パターンにて音声出力制御部１７を制御するための制御信号を生成して音声出力制御部１７に出力する（ステップＳ５０３）。
【０１１１】
検出した騒音レベルによって、音量の自動調節が必要な場合（ステップＳ５０４でＹＥＳ）、制御部１１は、騒音レベルから特定される音量レベルにて音声出力制御部１７を制御するための制御信号を生成して音声出力制御部１７に出力する（ステップＳ５０５）。  検出した騒音レベルによって、音声出力部３０の各出力スピーカ毎に音量を調節する設定が制御パラメータにある場合（ステップ５０６でＹＥＳ）、制御部１１は、出力スピーカ毎の出力音量レベルを特定し、特定した音量レベルにて音声出力制御部１７を制御するための制御信号を生成して音声出力制御部１７に出力する（ステップＳ５０７）。
【０１１２】
制御部１１は、周囲音センサ５３による次の周囲音検出時期を監視するタイマを再設定して処理を終了する。
【０１１３】
図１２は、図８のステップＳ２０７に示したボタン操作による音量調節制御の処理手順を示すフローチャートである。
【０１１４】
制御部１１は、音量調節ボタン１９１の操作信号を操作検出部１９から受信すると、記憶部１２に記憶した制御パラメータを参照し、現在時刻が属する時間帯におけるボタン操作の有効、無効を判断する（ステップＳ６０１）。
【０１１５】
ボタン操作が有効である場合（ステップＳ６０１でＹＥＳ）、制御部１１は、コンテンツ再生中かを判断する（ステップＳ６０２）。
【０１１６】
ボタン操作が無効に設定されている場合（ステップＳ６０１でＮＯ）、あるいは、広告用コンテツが再生中でない場合（ステップＳ６０２でＮＯ）、制御部１１は、音量調節ボタン１９１の操作イベントを廃棄して処理を終了する。
【０１１７】
コンテンツ再生中である場合（ステップＳ６０２でＹＥＳ）、制御部１１は、音声出力制御部１７に現在設定されている出力音量レベルを取得し（ステップＳ６０３）、受信した音量調節ボタン１９１の操作信号から調節後の出力音量レベルを算出する（ステップＳ６０４）。
【０１１８】
制御部１１は、ステップＳ６０４で算出した音量レベルに調節するための制御信号を生成し（ステップＳ６０５）、制御信号を音声出力制御部１７に出力する（ステップＳ６０６）。
【０１１９】
なお、制御部１１は、記憶部１２に記憶した制御パラメータに音量調節ボタン１９１による音量の自動復帰制御を行なうフラグを設け、ボタン操作によって一時的に変更した音量を一定時間後に、所定の初期レベルに戻すように制御してもよい。
【０１２０】
また、図１２の処理フローは、音量レベルを一次的に変更する処理の例を示したが、音質に対しても、ボタン操作によって音質パターンを選択して音質を一次的に調節する調節手段を追加しても良い。
【０１２１】
また、広告装置は、図１に示したような筐体型の広告装置以外に、広告用コンテツを再生する装置であれば、大型の画面を有する装置にしても良い。。
【０１２２】
次に、上記の実施例１に示した広告装置の変形例についてさらに説明する。
【実施例２】
【０１２３】
次に、本発明に係る本発明の第２の実施の形態として商品の自動販売手段を有する広告装置（以後、「自動販売機」と称す）の例について説明する。
【０１２４】
図１３は、証明写真を自動で販売する自動販売機の例を示した外観図である。
【０１２５】
自動販売機２は、駅、店舗の敷地内に設置されて証明写真を自動で販売する装置である。
【０１２６】
自動販売機２は、画像出力部２０、スピーカ（Ｌ）３１、スピーカ（Ｒ）３２、ウーハ３３を有し、設置場所提供者等から依頼された広告用コンテンツを再生する。
【０１２７】
図１４は、図１３に示した自動販売機の制御構成の例を示すブロック図である。
【０１２８】
図１４において、自動販売機２は、例えば、図２に示した広告装置１の制御構成に対してさらに、証明写真を自動で撮像して、撮像画像をプリントする商品販売部７１、商品の代金を決済する課金制御部７２を制御する自動販売制御部７０を追加した構成となる。
【０１２９】
なお、商品もしくはサービスを自動で販売する装置であれば、図１３に示した証明写真の販売装置および図１４の制御構成には限定されない。
【０１３０】
自動販売機に広告機能を付加した実施例２の構成にすることで、従来の自動販売装置のみでの構成と比較すると、設置費用などを設置場所提供者に支払っている場合は、広告料を設定費用の一部に充当したり、また、広告機能を人通りの多い有利な設置場所を確保する交渉材料とすることができる。
【実施例３】
【０１３１】
次に、本発明の第３の実施の形態として、ネットワーク接続手段を有する広告装置について説明する。
【０１３２】
図１５は、ネットワーク９０を介して広告装置１を監視するセンタ装置４と接続してデータ通信を制御する通信制御部１３をさらに具備して構成される。
【０１３３】
センタ装置４は、例えば、ネットワーク９０に接続された各広告装置１の識別情報、ネットワーク９０上におけるアドレス情報、コンテンツの配信状況、稼動状況等を含む管理情報を、広告装置１毎に記憶して管理し、また、配信する広告コンテンツ、制御パラメータ、広告装置１を遠隔から制御するためのコマンドを自動で配信するデータ配信制御手段を有する。
【０１３４】
センタ装置４は、コンテンツの配信を行う広告装置１を特定して、配信するデータを記憶部から読み出してネットワーク９０を介して送信する。
【０１３５】
なお、コンテンツ、制御パラメータ等を含むデータの送信は、タイマ設定によって自動送信する方法や、あるいは、管理者の操作による手動に送信する方法がある。
【０１３６】
図１６は、広告装置１が、通信制御部１３を介してセンタ装置４からデータを受信した際の処理手順を示すフローチャートである。
【０１３７】
センタ装置４から送信されるデータを、ネットワーク制御部１０４を介して受信すると、制御部１１は、受信データを解析する（ステップＳ７０１）
受信データがセンタ装置４からの音量音質自動調節制御のコマンドである場合（ステップＳ７０２）、コマンドによる音量音質自動調節制御を行う（ステップＳ７０３）。
【０１３８】
受信データが設定パラメータである場合（ステップＳ７０４でＹＥＳ）、制御パラメータを更新する（ステップＳ７０５）。
【０１３９】
再生用コンテンツである場合は（ステップＳ７０６でＹＥＳ）、制御部１１は、記憶部１２に受信した再生用コンテンツを登録もしくは更新する（ステップＳ７０７）。
【０１４０】
制御部１１は、受信したデータ種別毎の処理が完了すると、処理結果として通信制御部１３を介してセンタ装置４に応答を返す（ステップＳ７０８）。
【０１４１】
なお、図１６に示したデータ受信処理以外に、制御部１１は、監視カメラ５１の監視映像をセンタ装置４にアップロードする等、音量音質自動調節制御に限定されず各コマンドに対応した制御を適宜行う構成にしても良い。
【実施例４】
【０１４２】
次に、本発明の第４の実施の形態として、商品もしくはサービスに関する情報を含む発行物を頒布する手段を設けた広告装置（以後、「発行物頒布機」と称す）について説明する。
【０１４３】
図１７は、発行物頒布機８の例を示す外観図である。
【０１４４】
図１７において、発行物頒布機８は、情報提供機関が無償で配布する情報誌等の発行物８１を収容する発行物頒布部８２を具備し、音声出力部３０においては、発行物８１の頒布を促すガイダンスメッセージを含む音声を出力する装置である。
【０１４５】
また、発行物頒布機８は、発行物８１を発行する情報提供機関と契約した店舗の入り口付近等に設置され、発行物８１の頒布を促す音声案内を繰り返して行う。
【０１４６】
なお、発行物頒布機８は、実施例１に示したように、発行物の頒布を促進する静止画あるいは動画を表示する画像出力部２０を設けた構成にしても良い。
【０１４７】
図１８は、図１７に示した発行物頒布機８の制御構成を示したブロック図である。
【０１４８】
音声再生部１５２は、ファイル等の再生処理を行なって音声信号を再生を再生する
音声再生部１５２は、記憶部１２に記憶されたガイダンス音声を記録した音声ファイルを読み出してデコードし、デコードした音声信号を音声出力制御部に出力してガイダンス音声を繰り返して再生する。
【０１４９】
この際、センサ５２によって、発行物頒布機８の付近にて人を検出した場合は、制御部１１は、音声出力制御部１７に対して、音量、音質を変更する制御信号を出力し、音質調節部１７１、音量調節部１７２の制御によって、出力音声の音量を一時的に引き上げるなどの制御を行なう。
【０１５０】
これによって、発行物頒布機８を設置した付近の人の動向に応じた、音声ガイダンスの音量音質制御を行なうことができる。
【産業上の利用可能性】
【０１５１】
本発明の広告装置は、広告装置の設置場所における騒音規制に対処し、かつ、設置場所提供者、もしくは、広告依頼主との契約などで、時間帯、曜日によって音声、静止画、動画等の出力時間帯の制限、およおび、出力音量レベルの規制等がある場合に有効である。
【０１５２】
また、広告依頼主、もしくは、設置場所提供者から訴求効果の高い広告が広告装置に対して求められている場合に有効である。
【図面の簡単な説明】
【０１５３】
【図１】本発明に係わる広告装置の第１の実施の形態を示した広告装置の外観図である。
【図２】第１の実施の形態における広告装置の制御構成を示したブロック図である。
【図３】時間帯、曜日に応じて音声の音量、音質を調節するための制御パラメータの例を示した表である。
【図４】広告装置におけるコンテンツの再生に関する各種制御パラメータの例を示した表である。
【図５】広告装置における音声出力制御に関する各種センサに関する制御パラメータ設定の例を示した表である。
【図６】広告装置が有する音量音質自動調節制御を行った後の自動復帰制御に関する制御パラメータ設定の例を示した表である。
【図７】広告装置におけるコンテンツ再生の処理手順を示すフローチャートである。
【図８】コンテンツ再生における音量音質自動調節制御の処理手順を示すフローチャートである。
【図９】図７に示したフローチャートにおいて、時間帯別に設定された制御パラメータによる音量音質の自動調節制御の処理手順を示すフローチャートである。
【図１０】図７に示したフローチャートにおいて、装置付近の人を検知した時の音量音質の自動調節制御の処理手順を示すフローチャートである。
【図１１】図７に示したフローチャートにおいて、装置付近の騒音レベルを検知した時の音量音質の自動調節制御の処理手順を示すフローチャートである。
【図１２】図７に示したフローチャートにおいて、ボタン操作を検知した時の音量音質の自動調節制御の処理手順を示すフローチャートである。
【図１３】本発明の第２の実施の形態として、自動販売手段を設けた広告装置の外観図である。
【図１４】自動販売手段を設けた広告装置の制御構成の例を示すブロック図である。
【図１５】本発明の第３の実施の形態として、通信手段を備えた広告装置の制御構成の例を示すブロック図である。
【図１６】通信手段によって、外部装置からデータ受信を行った際の処理手順を示すフローチャートである。
【図１７】本発明の第４実施の形態として、商品もしくはサービスの広告に関する情報を含む発行物を頒布する手段を設けた広告装置の例を示す外観図である。
【図１８】頒布手段を設けた広告装置の制御構成の例を示すブロック図である。
【符号の説明】
【０１５４】
１    広告装置
１１    制御部
１２    記憶部
１２１    記憶媒体
１３    通信制御部
１４    センサ接続インタフェース
１５    コンテンツ再生部
１５１    画像再生部
１５２    音声再生部
１６    画像出力制御部
１７    音声出力制御部
１７１    音量調節部
１７２    音質調節部
１８    記憶媒体読み取り部
１９    操作検出部
２０    画像出力部
３０    音声出力部
３１    スピーカ（Ｌ）
３２    スピーカ（Ｒ）
３３    ウーハー
５０    センサ部
５１    監視カメラ
５２    人センサ
５３    周囲音センサ
１９１    音量調節ボタン
６０    通信制御部
６１    無線通信制御部
６２    有線通信制御部
７０    自動販売制御部
７１    商品販売部
７２    課金制御部
８  発行物頒布機
８１    発行物
８２    発行物頒布部
９０    ネットワーク
２    自動販売機
４    センタ装置
【図１】
2006053432.tif 000003
【図２】
2006053432.tif 000004
【図３】
2006053432.tif 000005
【図４】
2006053432.tif 000006
【図５】
2006053432.tif 000007
【図６】
2006053432.tif 000008
【図７】
2006053432.tif 000009
【図８】
2006053432.tif 000010
【図９】
2006053432.tif 000011
【図１０】
2006053432.tif 000012
【図１１】
2006053432.tif 000013
【図１２】
2006053432.tif 000014
【図１３】
2006053432.tif 000015
【図１４】
2006053432.tif 000016
【図１５】
2006053432.tif 000017
【図１６】
2006053432.tif 000018
【図１７】
2006053432.tif 000019
【図１８】
2006053432.tif 000020